(57)【要約】【解決手段】  内部に収容空間部を有し、かつ前端上角部に上面から前面まで連続した開口部２１を有する基体２と、該基体の上記収容空間部内に前後方向スライド可能に収容され、収容時に前壁が上記基体の前面開口部を閉塞すると共に、前方へとスライドすることにより基体前端面から前方に突出する、上面が開放した箱形のスライド体３と、上記基体開口部の上面後端側に回動可能に取り付けられ、前端側の端部を上下に回動させることにより、上記基体開口部の上面部分を開閉する蓋体４と、上記スライド体のスライド動作と上記蓋体の回動動作とを連動させる連動機構３１，４３とを具備してなることを特徴とする多用途収容装置を提供する。【効果】  本発明の多用途収容装置は、取扱性に優れ、かつ比較的小スペースで設置することができるにもかかわらず収容能力や使い勝手にも優れ、カップホルダーや小物入れ、コインケースなど種々の用途に好適に使用し得る。【選択図】  図３
2007062462.tif 000002
【特許請求の範囲】
【請求項１】
内部に収容空間部を有し、かつ前端上角部に上面から前面まで連続した開口部を有する基体と、
該基体の上記収容空間部内に前後方向スライド可能に収容され、収容時に前壁が上記基体の前面開口部を閉塞すると共に、前方へとスライドすることにより基体前端面から前方に突出する、上面が開放した箱形のスライド体と、
上記基体開口部の上面後端側に回動可能に取り付けられ、前端側の端部を上下に回動させることにより、上記基体開口部の上面部分を開閉する蓋体と、
上記スライド体のスライド動作と上記蓋体の回動動作とを連動させる連動機構とを具備してなることを特徴とする多用途収容装置。
【請求項２】
上記連動機構が、上記スライド体の側壁上端縁部に形成されたラックギアと、
上記蓋体の下面側に突設され、上記ラックギアに歯合するピニオンギアが形成された連動片とを具備している請求項１記載の多用途収容装置。
【請求項３】
上記蓋体の回動動作を付勢する付勢手段を有すると共に、該付勢手段が、蓋体の回動角度範囲の中間角度に設定された死点よりも閉方向側では閉方向に、該死点よりも開方向側では開方向に付勢するように構成されたものである請求項１又は２記載の多用途収容装置。
【請求項４】
上記付勢手段がトーションバネであり、その一端が上記蓋体と一体的に回動する軸体にクランク状に連結され、他端が上記基体に固定されている請求項３記載の多用途収容装置。
【請求項５】
上記蓋体を開方向へ回動付勢する付勢手段、又は上記スライド体を突出方向に付勢する付勢手段のいずれかを設け、かつ上記蓋体を閉状態でロックするロック手段、又は上記スライド体を収容状態でロックするロック手段を設けたことを特徴とする請求項１又は２記載の多用途収容装置。
【請求項６】
上記スライド体と上記基体との間にコンストンバネを取り付けて、スライド体を突出方向に付勢すると共に、基体とスライドとの間に該スライド体を収容状態でロックするプッシュロック／プッシュアンロックタイプのロック機構を設けた請求項５記載の多用途収容装置。
【請求項７】
上記スライド体と上記基体のいずれか一方にダンパー用ラックギアを設けると共に、他方にピニオンギアを有するオイルダンパーを取り付け、このオイルダンパーのピニオンギアと上記ダンパー用ラックギアとを歯合させ、付勢手段によるスライド体のスライド動作及び蓋体の回動動作に、上記オイルダンパーによる所定の制動力を作用させるように構成した請求項３〜６のいずれか１項に記載の多用途収容装置。
【発明の詳細な説明】
【技術分野】
【０００１】
本発明は、自動車等のインストルメントパネル、センターコンソール、アームレストなどに組み込まれ、カップホルダーや小物入れ、コインケースなど、種々の用途に好適に用いられる多用途収容装置に関し、更に詳述すれば、取扱性に優れ、かつ比較的小スペースで設置することができるにもかかわらず収容能力や使い勝手にも優れ、カップホルダーや小物入れ、コインケースなど種々の用途に好適に使用し得る多用収容装置に関する。
【背景技術】
【０００２】
従来から、自動車の車内に装備されたアームレストなどの角部にカップホルダーや小物入れなどの収容装置を設定することが行われており、例えばカップホルダーとし設定された収容装置としては、図１０に示したカップホルダーが知られている（特許文献１：実公平２−１８７４８号公報）。
【０００３】
このカップホルダーは、図１０に示されているように、自動車のドアの内面に設けられたアームレストａの上面側角部を切り欠いて、該アームレストａの上面から前面側まで連続する開口部を有する四角立方体状の凹部ｂを形成し、この凹部ｂの上面及び前面を閉塞する蓋体ｃを取り付けたものである。
【０００４】
この場合、上記蓋体ｃは、図１０（Ｂ）に示されているように、Ｌ字状に折曲した基板ｃ１の両側部にそれぞれ側板ｃ２，ｃ２を立設したもので、上記凹部ｂの前面側下端縁部に回動可能に取り付けられており、図１０（Ａ）に示されているように、上方に回動することにより凹部ｂの上面及び前面の開口面を閉塞するようになっている。そして、図１０（Ｂ），（Ｃ）に示されているように、この蓋体ｃを前面側へと回動させると、凹部ｂの上面が開放すると共に、この蓋体ｃが凹部ｂから前方に突出した状態となり、上記基板ｃ１の基端側が凹部ｂの底面から連続して前方に突出し凹部ｂの底面を前方に延長した状態となり、また上記両側板ｃ２，ｃ２がそれぞれ凹部ｂの両側面から連続して前方に突出した状態となって凹部ｂの両側面がぞれぞれ前方に延長した状態となり、更に上記基板ｃ１の自由端側が凹部ｂの前方で起立して前方壁を形成した状態となる。
【０００５】
このように、図１０（Ｂ），（Ｃ）に示されているように、蓋体ｃを前方に回動させることにより、凹部ｂ、蓋体ｃの基板ｃ１、及び基板ｃの両側板ｃ２，ｃ２にり囲まれた上面が開放した四角形の空間部が形成され、この空間部にカップ類ｄを保持するようになっている。
【０００６】
しかしながら、この従来のカップホルダーは、小物入れ等のカップホルダー以外の収容装置として使用する場合に、その収容能力に劣り、また蓋体ｃの開閉動作に伴う内容積の拡縮のため、小物入れとした場合の使い勝手に劣るものである。
【０００７】
即ち、カップホルダーにカップ類を保持しないとき、又は他にカップホルダーがあり、この収容部を小物入れとして使用する場合には、上記従来の収容装置では、蓋体ｃを閉じた際に収容空間が半分ほどに縮小してしまうため、小物入れとしては収容能力に劣るものである。また、開いた状態から蓋体ｃを閉じる場合に、収容空間部が約半分また縮小していくため、開いた状態で物を入れても蓋体ｃを閉じる際に物が入らない（蓋体ｃが閉まらない）場合があり、蓋体ｃを閉じてみるまで収容し得る物品か否か分かり難い。更に、蓋体ｃを開いているときにには、蓋体ｃの基端側が収容部の底面の一部を構成するようになっているため、物品が蓋体ｃの上に載った状態で蓋体ｃを上方へと回動させて閉じなければならず、蓋体ｃの開閉操作がし難くなる場合がある。また更に、蓋体ｃを開閉する際に収容容積が変化すると共に、収容空間部の底面又は壁面の一部が回動動作することになるので、蓋体ｃの開閉時に収容した物品の姿勢が変化することが多く、このため上手く蓋体ｃが閉まらなかったり、収容した物品が散らばったりする不都合が発生しやすい。
【０００８】
【特許文献１】実公平２−１８７４８号公報
【発明の開示】
【発明が解決しようとする課題】
【０００９】
本発明は、上記事情に鑑みなされたもので、取扱性に優れ、かつ比較的小スペースで設置することができるにもかかわらず収容能力や使い勝手にも優れ、カップホルダーや小物入れ、コインケースなど、種々の用途に好適に使用し得る多用途収容装置を提供することを目的とする。
【課題を解決するための手段】
【００１０】
本発明は、上記目的を達成するため、内部に収容空間部を有し、かつ前端上角部に上面から前面まで連続した開口部を有する基体と、該基体の上記収容空間部内に前後方向スライド可能に収容され、収容時に前壁が上記基体の前面開口部を閉塞すると共に、前方へとスライドすることにより基体前端面から前方に突出する、上面が開放した箱形のスライド体と、上記基体開口部の上面後端側に回動可能に取り付けられ、前端側の端部を上下に回動させることにより、上記基体開口部の上面部分を開閉する蓋体と、上記スライド体のスライド動作と上記蓋体の回動動作とを連動させる連動機構とを具備してなることを特徴とする多用途収容装置を提供する。
【００１１】
本発明の多用途収容装置は、上記図１０に示された従来の収容装置（図１０の場合は、カップホルダー）と同様に、アームレストなどに設定された基体の前端上部角部に形成された、上面から前面まで連続した開口部を有する空間部に収容部を構成するものである。この場合、本発明では、上記のように、上面が開放した箱形のスライド体を上記基体内にスライド可能に配設して、このスライド体の前壁で上記開口部の前面側を閉塞し、かつ上記開口部上面側に蓋体を回動可能に取り付けて、この蓋体で上記開口部の上面側を閉塞するようにしたものである。そして、上記蓋体を開いて上記開口部の上面側を開放すると共に、上記スライド体を上記開口部の前面から前方に突出させ、このスライド体上に開口部の上面側からカップル類を載置、保持してカップホルダーとして使用したり、また種々の物品を入れて収容するものである。このように、本発明の多用途収容装置は、上記蓋体が回動して基体開口部の上面が開放すると共に、スライド体が開口部の前面から前方に突出して、カップ類や収容物品を受け入れる開口幅が拡大するようになっているため、上記蓋体が取り付けられた幅、即ちアームレスト等に設けられた収容部の設定面積よりも大きなカップ類や物品を収容保持することができ、少ない設定スペースでより大きな収容保持能力を発揮し得るものである。
【００１２】
上記のとおり、本発明の多用途収容装置は、アームレスト等に設定された基体内に収容されたスライド体を引き出す（基体から突出させる）と共に、蓋体を開いて開口部上面を開口し、開放された開口部の上面からこのスライド体にカップル類や収容物品を載置、収容して保持するように構成されている。このため、スライド体を格納し蓋体を閉じた状態、即ち開口部を閉じたカップホルダーとしての非使用状態でも、その収容スペースはスライド体の収容空間部がそのまま維持され、小物入れとして使用する場合にも十分な収納容量が確保され、また上述した従来の収容装置（カップホルダー）のような開閉動作に伴う収容容積の拡縮は生じないため、上述したような収容容積の拡縮に伴う不都合を生じることもない。
【００１３】
更に、開閉動作も上記スライド体のスライド動作と蓋体の回動動作により行われるので、この開閉動作に伴って収容された物品の姿勢が変化することもなく、また物品が載置された蓋体を持ち上げるように回動させるような操作を要することもなく、上記スライド体をスライドさせるだけの低負荷の操作でスライド体と共に収容した物品を基体内に格納することができるものである。その上、蓋体の回動動作とスライド体のスライド動作とを連動させる連動機構が設けられており、蓋体又はスライド体のいずれか一方を開閉操作すれば、この連動機構によって蓋体とスライド体の両方を同時に開閉することができるようになっている。更に、上記蓋体回動動作又は上記スライド体のスライド動作のいずれか一方を付勢する付勢手段を設けることにより、蓋体とスライド体の両方の開閉動作を自動的に行うようにすることもできる。このように、本発明の多用途収容装置は、その使い勝手も非常に優れるものである。
【発明の効果】
【００１４】
このように、本発明の多用途収容装置は、取扱性に優れ、かつ比較的小スペースで設置することができるにもかかわらず収容能力や使い勝手にも優れ、カップホルダーや小物入れ、コインケースなど、種々の用途に好適に使用し得るものである。
【発明を実施するための最良の形態及び実施例】
【００１５】
以下、実施例を示し、本発明の多用途収容装置をより具体的に説明する。
図１〜５は、本発明の一実施例にかかる多用途収容装置ユニット１を示すもので、図６〜８に示したように、この多用途収容装置ユニット１を自動車のアームレストａ（本例では後部座席用のアームレスト）の前端上角部に設けられた凹部に取り付けることにより、アームレストａにカップホルダーや小物入れとして使用される格納型の収容部を設定するものである。
【００１６】
この多用途収容装置ユニット１は、図１〜５に示されているように、上記アームレストａの凹部に固定される基体２と、該基体２内にスライド可能に取り付けられたスライド体３と、該基体２の上面部分に回動可能に取り付けられた蓋体４と、この蓋体４の回動動作を付勢するトーションバネ（付勢手段）５とを具備している。
【００１７】
上記基体２は、図３に示されているように、上面の前側大部分、前面及び後面が開放した四角箱形のものである。ここで、上面及び前面の開口は上面から前面まで連続した１つの開口部となっており、これにより基体２の前端上角部に上面から前面まで連続した開口部２１が形成されている。また、この基体２の上面及び前面の周縁部にはそれぞれ外方に向けて一体にフランジ２２，２２が形成されており、両フランジ２２，２２が一体的に連続して、中間部で略直角に折曲した四角枠状のフランジとなっている。
【００１８】
この基体２の両側壁には、それぞれ前後方向中間部の上部に存して軸孔２３，２３が穿設されており、この軸孔２３，２３に後述する蓋体４の回動軸４４，４４が枢着するようになっている。また、一方の側壁外面前部には、高さ方向中間部に存してリング状のバネ留め突起２４が突設されており、このバネ留め突起２４に、後述するトーションバネ５の端部に形成されたループが嵌合するようになっている。更に、この基体２の両側壁内面の下部及び底壁内面の中央部には、それぞれ一対の突条からなるガイドレール２５，２５，２６が設けられており、これらガイドレール２５，２５，２６を構成する一対の突条間に後述するスライド体３に設けられたガイド突条３２，３２，３３がスライド可能に嵌合するようになっている。
【００１９】
この基体２は、図４〜８に示されているように、上記アームレストａの前端上部に設けられた凹部に、適宜な手段により取り付けられ、このとき上記フランジ２２，２２がアームレストａの上面及び前端面に密着し、この基体２によりアームレストａの前端部に収容空間部が形成されると共に、アームレストａの前端上角部に上面から前面まで連続した開口部２１が形成される。
【００２０】
次に、上記スライド体３は、図３に示されているように、上端が開放した四角箱形のものであり、その両側壁は前後方向中間部から後側が低くなっており、後壁も両側壁と同一高さに形成されて前壁よりも低く設定されている。
【００２１】
高さが低く設定された上記両側壁の後部には、それぞれ上端縁部にラックギア３１，３１が形成されており、これら両ラックギア３１，３１がそれぞれ後述する蓋体４のピニオンギア４３，４３と歯合して連動機構を構成するようになっている。また、両側壁外面と底壁下面には、それぞれ前後方向に沿ってガイド突条３２，３２，３３が突設されており、これらガイド突条３２，３２，３３が上述した基体２のガイドレール２５，２５，２６にスライド可能に嵌合するようになっている。また、このスライド体３の前端壁外面には、化粧板３４が取り付けられるようになっている。なお、上記ラックギア３１，３１は、図２，４，５においては、一点差線により略示されている。
【００２２】
このスライド体３は、図１，２，４，５などに示されているように、上記ガイド突条３２，３２，３３が上記ガイドレール２５，２５，２６に嵌合した状態で、上記基体２内に前後方向スライド可能に収容されており、収容時には、上記化粧板３４が取り付けられた前壁が基体２の開口部２１の前面側を閉塞する（図１，４，６参照）と共に、前方にスライドすることにより基体２前端面から前方に突出する（図５，７参照）ようになっている。
【００２３】
次に、上記蓋体４は、上面が化粧仕上げされた基板４１の後端部両側縁部に下方に向けて舌状の連動片４２，４２を一体に垂設したものである。この連動片４２，４２は下端部から後側基端部にかけて円弧状に形成され、この円弧状縁部に上述したスライド体３のラックギア３１，３１に歯合するピニオンギア４３，４３が形成されている。また、この連動片４２，４２の中央部外面には、それぞれ回動軸４４，４４が突設されており、これら回動軸４４，４４が上述した基体２の軸孔２３，２３にそれぞれ枢着されるようになっている。なお、上記ピニオンギア４３，４３は、図２，４，５，７においては、一点差線により略示されている。
【００２４】
この蓋体４は、上記基体２の開口部２１上面の内側に配置され、上記基体２の軸孔２３，２３に上記回動軸４４，４４を挿入し、基体２の外側から回動軸４４，４４に抜止めキャップ４５，４６を嵌着して、基体２開口部２１の上面後端側に回動可能に取り付けられている。また、この蓋体４の上記連動片４２，４２に形成されたピニオンギア４３，４３と基体３のラックギア３１とが歯合して連動機構が構成されており、この連動機構によって蓋体４の回動動作とスライド体３のスライド動作とが互いに連動するようになっている。
【００２５】
そして、この蓋体４は、上記回動軸４４，４４を軸にして前端側を上下に回動させることにより、上記基体２開口部２１の上面部分を開閉するようになっており、このとき蓋体４の回動動作と一体的に上記両連動片４２，４２も回動軸４４，４４を中心に回動し、両連動片４２，４２に設けられた上記ピニオンギア４３，４３とスライド体３のラックギア３１，３１との作用によって、蓋体４の回動動作とスライド体３のスライド動作とが互いに連動して同時に行われるようになっている。即ち、蓋体４を回動させれば、それに連動してスライド体３がスライド運動し、またスライド体３をスライドさせれば、それに連動して蓋体４が回動運動するようになっている。
【００２６】
ここで、上記回動軸４４の一方は一部が切欠れた断面形状に形成されており、この一方の回動軸４４に嵌合した抜止めキャップ４５は、この回動軸４４と一体的に回動するようになっており、これによりこの一方の抜止めキャップ４５が蓋体４の回動動作と一体に回動するようになっている。また、この一方の抜止めキャップ４５には、外周縁部から径方向外方に向けてバネ連結片４７が突設されており、このバネ連結片４７の先端部にトーションバネ５の一端部が回動可能に連結されていると共に、該トーションバネ５のループ状に形成された他端部は、基体２の上記バネ留め突起２４に嵌合して基体２の側壁に連結されている。
【００２７】
このトーションバネ５は、付勢力に抗して両端部を互いに近づける方向に圧縮された状態で取り付けられており、両端部が外側へと広がる方向へと上記抜止めキャップ４５を回動付勢するようになっている。この場合、このトーションバネ５の一端部は、上記抜止めキャップ４５を介して蓋体４の回動軸４４とクランク状に連結されており、これにより、蓋体４の回動角度範囲の中間角度に設定された死点よりも閉方向側では、このトーションバネ５により蓋体４が閉方向に付勢され、上記死点よりも開方向側では、このトーションバネ５により蓋体４が開方向に付勢されるようになっている。この点については後に詳述する。
【００２８】
次に、この多用途収容装置の動作について説明する。
本実施例の多用途収容装置は、上記多用途収容装置ユニット１をアームレストａの前端上角部に設けられた凹部に取り付けて構成され、図４，６に示されているように、常時は化粧板３４が取り付けられた上記スライド体３の前壁により基体２開口部２１の前面側が閉塞されていると共に、上記蓋体４により基体２開口部２１の上面側が閉塞され、これら蓋体４及びスライド体３前壁により基体２の開口部２１がほぼ完全に閉じられた閉状態となっている。
【００２９】
このとき、図４（Ｂ）に示されているように、上記トーションバネ５の付勢力が図中矢印ｘ１方向に作用して、上記抜止めキャップ４５を図中矢印ｙ１方向へと回動付勢し、この抜止めキャップ４５を介して蓋体４が閉方向に付勢されていると共に、上記ピニオンギア４３及びラックギア３１で構成された連動機構の作用によってスライド体３が後方へとスライドするように付勢されており、これにより上記の閉状態が確実に維持される。
【００３０】
この状態から、カップホルダーを使用する際には、図４（Ａ）に矢印ｚ１で示したように、指を蓋体４の先端部（自由端部）に引っ掛けて、上記トーションバネ５の付勢力に抗して該蓋体４を上方（矢印ｚ１方向）へと回動させる。これにより、蓋体４が上方に回動して行くと共に、上記ピニオンギア４３及びラックギア３１で構成された連動機構の作用によってスライド体３が前方へと押し出されて行く。そして、ほぼ中間点まで蓋体４を回動させると、図４（Ｃ）に示されているように、上記抜止めキャップ４５の回動角度がクランク機構の死点を超え、トーションバネ５の反発力が図中矢印ｘ２方向に作用して、上記抜止めキャップ４５を図中矢印ｙ２方向へと回動付勢し、この抜止めキャップ４５を介して蓋体４が開方向に付勢されて自動的に開方向に回動すると共に、上記ピニオンギア４３及びラックギア３１で構成された連動機構の作用によってスライド体３が自動的に前方へと押し出され、図５，７に示された開状態となる。
【００３１】
この開状態において、上記蓋体４は、開口部２１の後端部分でほぼ直立した状態となると共に、その下側の半分を超える部分が開口部２１内に埋没した状態となり、蓋体４の上方への突出量は小さいものとなっている。また、スライド体３は、基体２の開口部２１前面から所定量突出してスライド体３の上面がほとんど完全に開放した状態となり、カップ類などの物品の受け入れ面積は、基体２開口部上面の面積よりも広くなっている。
【００３２】
このとき、図５（Ｂ）に示されているように、上記トーションバネ５の付勢力が図中矢印ｘ３方向に作用して、上記抜止めキャップ４５を図中矢印ｙ３方向へと回動付勢し、この抜止めキャップ４５を介して蓋体４が開方向に付勢されていると共に、上記ピニオンギア４３及びラックギア３１で構成された連動機構の作用によってスライド体３が前方へとスライドするように付勢されており、これにより上記の開状態が確実に維持される。
【００３３】
そして、カップホルダーとして使用する場合には、この状態で、図８に示されているように、開放した開口部２１の上面側から、上記スライド体３内へと缶入り飲料などのカップ類ｄを載置して保持する。そして、使用後には、図５（Ａ）に矢印ｚ２で示したように、指を蓋体４の先端部（自由端部）に掛けて、上記トーションバネ５の付勢力に抗して該蓋体４を前方（矢印ｚ２方向）へと回動させる。これにより、蓋体４が前方に回動して行くと共に、上記ピニオンギア４３及びラックギア３１で構成された連動機構の作用によってスライド体３が後方へと引き込まれて行く。そして、ほぼ中間点まで蓋体４を回動させると、図５（Ｃ）に示されているように、上記抜止めキャップ４５の回動角度がクランク機構の死点を超え、トーションバネ５の反発力が図中矢印ｘ４方向に作用して、上記抜止めキャップ４５を図中矢印ｙ４方向へと回動付勢し、この抜止めキャップ４５を介して蓋体４が閉方向に付勢されて自動的に閉方向に回動すると共に、上記上記ピニオンギア４３及びラックギア３１で構成された連動機構の作用によってスライド体３が自動的に後方へと引き込まれ、図４，６に示された開状態となる。
【００３４】
また、この閉動作は、図５（Ａ）に矢印ｚ３で示したように、指でスライド体３を後方へと押し込むようにスライドさせると共に、上記ピニオンギア４３及びラックギア３１で構成された連動機構の作用によって蓋体４を閉方向に回動させることによっても、上記と同様に閉動作を行うことができる。更に、上述した開動作についても、スライド体３に指掛け部などを設けて、スライド体３を引き出すことによって、上記と同様に開動作を行うことができる。
【００３５】
このように、本実施例の多用途収容装置は、上面が開放した箱形のスライド体３を上記基体２内にスライド可能に配設して、このスライド体３の前壁で基体２開口部２１の前面側を閉塞し、かつ上記開口部２１上面側に蓋体４を回動可能に取り付けて、この蓋体４で上記開口部２１の上面側を閉塞するようにしたものである。そして、上記蓋体４を開いて上記開口部２１の上面側を開放すると共に、上記スライド体３をスライドさせて上記開口部２１の前面から前方に突出させ、このスライド体３上に開口部２１の上面側からカップル類ｄを載置して保持するものである。よって、この多用途収容装置は、上記蓋体４が回動して基体３開口部２１の上面が開放すると共に、スライド体３が開口部２１の前面から前方に突出して、カップ類を受け入れる開口幅が拡大するようになっているため、上記蓋体３が取り付けられた幅、即ちアームレストａに設けられたカップホルダーの設定面積よりも大きなカップ類を収容保持することができ、少ない設定スペースでカップホルダーとして十分な収容保持能力を発揮し得るものである。
【００３６】
また、本実施例の多用途収容装置は、アームレストａに設けた基体２内に収容されたスライド体３を引き出す（基体２から突出させる）と共に、蓋体４を開いて開口部２１上面を開口し、開放された開口部２１の上面からこのスライド体３にカップル類ｄを載置して保持するように構成されている。このため、スライド体３を格納し蓋体４を閉じた状態（図４（Ａ）の状態）、即ち開口部２１を閉じたカップホルダーとしての非使用状態でも、その収容スペースはスライド体３の収容空間部がそのまま維持され、小物入れとして使用する場合にも十分な収納容量が確保され、また上述した従来の収容装置（カップホルダー）のような開閉動作に伴う収容容積の拡縮は生じないため、上述した従来の収容装置（カップホルダー）に見られるような収容容積の拡縮に伴う不都合を生じることもない。また上述したように、物品を収容装置内に投入する際には、スライド体３が前方に突出することによって物品を受け入れる開口幅が拡大するようになっているため、アームレストａの上面に設けられた収容部の設底面積よりも大きな物を容易にスライド体３内に投入して収容することができる。
【００３７】
更に、開閉動作も上記スライド体３のスライド動作と蓋体４の回動動作により行われるので、この開閉動作に伴って収容された物品の姿勢が変化することもなく、また物品が載置された蓋体を持ち上げるように回動させるような操作を要することもなく、上記スライド体３をスライドさせるだけの低負荷の操作でスライド体３と共に収容した物品を基体２内に格納することができるものである。その上、蓋体４に設けられた連動片４２のピニオンギア４３とスライド体３に設けられたラックギア３１とで構成された連動機構の作用によって、上記蓋体４の回動動作とスライド体３のスライド動作とが連動するようになっており、蓋体４又はスライド体３のいずれか一方を開閉操作すれば、蓋体４とスライド体３の両方を同時に開閉することができるようになっている。更に、開動作又は閉動作の初期動作のみを手動で行えば、上記トーションバネ（付勢手段）５の作用によって、蓋体４とスライド体３の両方の開閉動作が自動的に行われるようになっており、更にこのトーションバネ５の作用によって閉状態及び開状態が良好に維持されるようになっている。このように、本例の多用途収容装置は、その使い勝手も非常に優れるものである。
【００３８】
なお、本発明は、上記実施例に限定されるものではなく、本発明の要旨を逸脱しない限り、適宜変更して差し支えない。例えば、上記実施例では、トーションバネ５を用いて蓋体４を付勢することにより、きっかけ動作を与えることにより開動作及び閉動作を自動的に行い、また閉状態及び開状態を維持するように構成したが、付勢方法等は、他の方法を用いてもよく、例えば、蓋体４を開方向へ回動付勢する付勢手段、又は上記スライド体３を突出方向に付勢する付勢手段のいずれかを設け、かつ上記蓋体４を閉状態でロックするロック手段、又は上記スライド体３を収容状態でロックするロック手段を設けるようにしてもよい。その一例を示せば、図９に示した構成を例示することができる。
【００３９】
即ち、図９（Ａ）に示したように、スライド体３の底壁下面に、コンストンバネ６１を取り付け、またスライド方向に沿ってダンパー用ラックギア７１を設け、更にハートカム部８２を有するロックレール８１を形成する。その一方、図９（Ｂ）に示したように、基体２の底壁上面前端部に引っ掛け孔６３を設け、これに上記コンストンバネ６１の先端６２を引っ掛けて、スライド体３を前方突出方向に付勢すると共に、同底壁上面後端部にロック片８３を設け、該ロック片８３のロックピンを上記ロックレール８１に摺動可能に挿入してプッシュロック／プッシュアンロックタイプのロック機構を構成する。これにより、スライド体３を基体２内に押し込むことにより、上記ロック機構で上記コンストンバネ６１の付勢力に抗してスライド体３をロックし、この状態から再びスライド体３をワンプッシュして押し込むことにより、上記ロック機構をアンロック状態とし、上記コンストンバネ６１の作用により、スライド体３を前方へとスライドさせると共に、上記蓋体３を開くように構成する。また、図９（Ｂ）に示したように、基体２の底壁にピニオンギア７３を有するオイルダンパー７２を固定し、そのピニオンギア７３を上記スライド体３のダンパー用ラックギア７１と歯合させることにより、上記スライド体３のスライド動作及び上記蓋体４の回動動作に、上記オイルダンパー７２による所定の制動力を作用させ、開閉動作がゆっくりと行われるように構成することもできる。なお、スライド体３の底壁下面に設けられる各構成と基体２の底壁上面に設けられる各構成とを逆転させてもよい。
【００４０】
このように、例えば、開閉動作を行う又は補助する付勢機構などは適宜変更することができる。また、蓋体４とスライド体３との連動機構を、上記ラックギアとピニオンギアとからなる機構ではなく、他の構成により連動機構を構成することもできる。例えば、上記ラックギア３１を省略すると共に、蓋体４の上記連動片４２に上記ピニオンギア４３に代えて摩擦計数の大きなゴム材料等を固定して、このゴム材料を基体３の両側壁上端縁部に圧接させることにより、ゴム材料と基体３両側壁との間の摩擦力によって蓋体４の回動動作と基体３のスライド動作とを連動させるように構成することもできる。更に、適宜なリンク機構によって上記連動機構を構成してもよい。
【００４１】
また、本発明の多用途収容装置は、上述のようにカップホルダーや小物入れ、コインケース等の種々の用途に好適に使用し得るものであるが、この場合上記実施例の多用途収容装置においては、スライド体３内に収容したコインなどの小物品がこぼれ落ちてしまうことを防止するため、図４（Ａ）及び図５（Ｂ）に一転鎖線で示したように、高さが低くなったスライド体３の後壁にガード片３４を立設してもよい。更に、その他、各部の形状や構成についても、本発明の要旨の範囲内で適宜変更して差し支えない。
【図面の簡単な説明】
【００４２】
【図１】本発明の一実施例にかかる多用途収容装置ユニットを示す前側斜視図である。
【図２】同多用途収容装置ユニットを示す後側斜視図である。
【図３】同多用途収容装置ユニットを示す分解斜視図である。
【図４】（Ａ）は同多用途収容装置ユニットの閉状態を示す断面図であり、（Ｂ）はそのときのトーションバネの状態を示す説明図、（Ｃ）はこの閉状態から開状態へと移行させる際の中間状態におけるトーションバネの状態を示す説明図である。
【図５】（Ａ）は同多用途収容装置ユニットの開状態を示す断面図であり、（Ｂ）はそのときのトーションバネの状態を示す説明図、（Ｃ）はこの開状態から閉状態へと移行させる際の中間状態におけるトーションバネの状態を示す説明図である。
【図６】同多用途収容装置ユニットを組み込んだアームレストを示す斜視図である。
【図７】同アームレストの収容装置を開いた状態を示す斜視図である。
【図８】同アームレストの収容装置にカップ類を保持してカップホルダーとして使用した状態を示す斜視図である。
【図９】本発明の他の実施例にかかる多用途収容装置ユニットを示すもので、（Ａ）はスライド体の底面を示す概略斜視図、（Ｂ）は基体の底壁上面を示す概略斜視図である。
【図１０】従来の収容装置（カップホルダー）の一例を示すもので、（Ａ）は非使用時を示す斜視図、（Ｂ）は使用時を示す斜視図、（Ｃ）は使用時を示す断面図である。
【符号の説明】
【００４３】
１  多用途収容装置ユニット
２  基体
２１  開口部
３  スライド体
３１  ラックギア
４  蓋体
４２  連動片
４３  ピニオンギア
５  トーションバネ（付勢手段）
６１  コンストンバネ（付勢手段）
７１  ダンパー用ラックギア
７２  オイルダンパー
８１  ロックレール
８３  ロック片
【図１】
2007062462.tif 000003
【図２】
2007062462.tif 000004
【図３】
2007062462.tif 000005
【図４】
2007062462.tif 000006
【図５】
2007062462.tif 000007
【図６】
2007062462.tif 000008
【図７】
2007062462.tif 000009
【図８】
2007062462.tif 000010
【図９】
2007062462.tif 000011
【図１０】
2007062462.tif 000012
【手続補正書】
【提出日】平成17年9月6日(2005.9.6)
【手続補正２】
【補正対象書類名】明細書
【補正対象項目名】００１１
【補正方法】変更
【補正の内容】
【００１１】
本発明の多用途収容装置は、上記図１０に示された従来の収容装置（図１０の場合は、カップホルダー）と同様に、アームレストなどに設定された基体の前端上部角部に形成された、上面から前面まで連続した開口部を有する空間部に収容部を構成するものである。この場合、本発明では、上記のように、上面が開放した箱形のスライド体を上記基体内にスライド可能に配設して、このスライド体の前壁で上記開口部の前面側を閉塞し、かつ上記開口部上面側に蓋体を回動可能に取り付けて、この蓋体で上記開口部の上面側を閉塞するようにしたものである。そして、上記蓋体を開いて上記開口部の上面側を開放すると共に、上記スライド体を上記開口部の前面から前方に突出させ、このスライド体上に開口部の上面側からカップ類を載置、保持してカップホルダーとして使用したり、また種々の物品を入れて収容するものである。このように、本発明の多用途収容装置は、上記蓋体が回動して基体開口部の上面が開放すると共に、スライド体が開口部の前面から前方に突出して、カップ類や収容物品を受け入れる開口幅が拡大するようになっているため、上記蓋体が取り付けられた幅、即ちアームレスト等に設けられた収容部の設定面積よりも大きなカップ類や物品を収容保持することができ、少ない設定スペースでより大きな収容保持能力を発揮し得るものである。
【手続補正３】
【補正対象書類名】明細書
【補正対象項目名】００１２
【補正方法】変更
【補正の内容】
【００１２】
上記のとおり、本発明の多用途収容装置は、アームレスト等に設定された基体内に収容されたスライド体を引き出す（基体から突出させる）と共に、蓋体を開いて開口部上面を開口し、開放された開口部の上面からこのスライド体にカップ類や収容物品を載置、収容して保持するように構成されている。このため、スライド体を格納し蓋体を閉じた状態、即ち開口部を閉じたカップホルダーとしての非使用状態でも、その収容スペースはスライド体の収容空間部がそのまま維持され、小物入れとして使用する場合にも十分な収納容量が確保され、また上述した従来の収容装置（カップホルダー）のような開閉動作に伴う収容容積の拡縮は生じないため、上述したような収容容積の拡縮に伴う不都合を生じることもない。
【手続補正４】
【補正対象書類名】明細書
【補正対象項目名】００３３
【補正方法】変更
【補正の内容】
【００３３】
そして、カップホルダーとして使用する場合には、この状態で、図８に示されているように、開放した開口部２１の上面側から、上記スライド体３内へと缶入り飲料などのカップ類ｄを載置して保持する。そして、使用後には、図５（Ａ）に矢印ｚ２で示したように、指を蓋体４の先端部（自由端部）に掛けて、上記トーションバネ５の付勢力に抗して該蓋体４を前方（矢印ｚ２方向）へと回動させる。これにより、蓋体４が前方に回動して行くと共に、上記ピニオンギア４３及びラックギア３１で構成された連動機構の作用によってスライド体３が後方へと引き込まれて行く。そして、ほぼ中間点まで蓋体４を回動させると、図５（Ｃ）に示されているように、上記抜止めキャップ４５の回動角度がクランク機構の死点を超え、トーションバネ５の反発力が図中矢印ｘ４方向に作用して、上記抜止めキャップ４５を図中矢印ｙ４方向へと回動付勢し、この抜止めキャップ４５を介して蓋体４が閉方向に付勢されて自動的に閉方向に回動すると共に、上記ピニオンギア４３及びラックギア３１で構成された連動機構の作用によってスライド体３が自動的に後方へと引き込まれ、図４，６に示された開状態となる。
【手続補正５】
【補正対象書類名】明細書
【補正対象項目名】００３５
【補正方法】変更
【補正の内容】
【００３５】
このように、本実施例の多用途収容装置は、上面が開放した箱形のスライド体３を上記基体２内にスライド可能に配設して、このスライド体３の前壁で基体２開口部２１の前面側を閉塞し、かつ上記開口部２１上面側に蓋体４を回動可能に取り付けて、この蓋体４で上記開口部２１の上面側を閉塞するようにしたものである。そして、上記蓋体４を開いて上記開口部２１の上面側を開放すると共に、上記スライド体３をスライドさせて上記開口部２１の前面から前方に突出させ、このスライド体３上に開口部２１の上面側からカップ類ｄを載置して保持するものである。よって、この多用途収容装置は、上記蓋体４が回動して基体３開口部２１の上面が開放すると共に、スライド体３が開口部２１の前面から前方に突出して、カップ類を受け入れる開口幅が拡大するようになっているため、上記蓋体３が取り付けられた幅、即ちアームレストａに設けられたカップホルダーの設定面積よりも大きなカップ類を収容保持することができ、少ない設定スペースでカップホルダーとして十分な収容保持能力を発揮し得るものである。
【手続補正６】
【補正対象書類名】明細書
【補正対象項目名】００３６
【補正方法】変更
【補正の内容】
【００３６】
また、本実施例の多用途収容装置は、アームレストａに設けた基体２内に収容されたスライド体３を引き出す（基体２から突出させる）と共に、蓋体４を開いて開口部２１上面を開口し、開放された開口部２１の上面からこのスライド体３にカップ類ｄを載置して保持するように構成されている。このため、スライド体３を格納し蓋体４を閉じた状態（図４（Ａ）の状態）、即ち開口部２１を閉じたカップホルダーとしての非使用状態でも、その収容スペースはスライド体３の収容空間部がそのまま維持され、小物入れとして使用する場合にも十分な収納容量が確保され、また上述した従来の収容装置（カップホルダー）のような開閉動作に伴う収容容積の拡縮は生じないため、上述した従来の収容装置（カップホルダー）に見られるような収容容積の拡縮に伴う不都合を生じることもない。また上述したように、物品を収容装置内に投入する際には、スライド体３が前方に突出することによって物品を受け入れる開口幅が拡大するようになっているため、アームレストａの上面に設けられた収容部の設底面積よりも大きな物を容易にスライド体３内に投入して収容することができる。
【手続補正７】
【補正対象書類名】図面
【補正対象項目名】図３
【補正方法】変更
【補正の内容】
【図３】
2007062462.tif 000013